(57)【要約】【課題】特定被写体に合焦できたか否かの確認を容易に行うことが可能な技術を提供することを目的とする。【解決手段】撮像装置１Ａは、被写体像に関する撮影画像を取得する副撮像素子７と、撮影画像から特定被写体を検出する被写体検出部１２３と、撮影領域の所定位置に設定された測距エリアから取得される位相差検出信号に基づいて合焦動作を実行させる位相差ＡＦ制御部１２１と、特定被写体の存在位置を示す位置表示を表示部に表示させる表示制御部１２４と、特定被写体に関する位相差検出信号に基づいて合焦動作が実行されたか否かを判定する合焦判定部２１３とを備え、表示制御部１２４は、合焦判定部２１３の判定結果に応じて特定被写体の位置表示の表示態様を変更させる。【選択図】図５
2010103615.tif 000002
【特許請求の範囲】
【請求項１】
被写体像に関する撮影画像を取得する撮像素子と、
前記撮影画像から特定被写体を検出する被写体検出手段と、
撮影領域の所定位置に設定された測距エリアから取得される位相差検出信号に基づいて合焦動作を実行させる合焦制御手段と、
前記特定被写体の存在位置を示す位置表示を表示部に表示させる表示制御手段と、
前記特定被写体に関する位相差検出信号に基づいて前記合焦動作が実行されたか否かを判定する第１判定手段と、
を備え、
前記表示制御手段は、前記第１判定手段の判定結果に応じて前記特定被写体の位置表示の表示態様を変更させる撮像装置。
【請求項２】
前記表示制御手段は、前記第１判定手段によって前記特定被写体に関する位相差検出信号に基づいて前記合焦動作が実行されたと判定された場合に、前記特定被写体の位置表示の表示態様を変更させる請求項１に記載の撮像装置。
【請求項３】
前記表示制御手段は、前記測距エリアに関する表示を前記表示部に表示させ、前記合焦動作の実行後は、前記測距エリアに関する表示を前記表示部から消去させる請求項２に記載の撮像装置。
【請求項４】
前記特定被写体に関する位相差検出信号を取得可能か否かを判定する第２判定手段、
をさらに備え、
前記表示制御手段は、前記合焦動作の実行前に、前記第２判定手段による判定結果に応じて、前記特定被写体の位置表示の表示態様を変更させる請求項３に記載の撮像装置。
【請求項５】
前記表示制御手段は、前記撮像素子によって順次に取得される撮影画像に基づいて、前記表示部に本撮影前のプレビュー画像を表示させるとともに、前記合焦動作の実行前に、前記測距エリアに関する表示および前記特定被写体の位置表示を前記プレビュー画像に合成して表示させる請求項４に記載の撮像装置。
【請求項６】
前記特定被写体は、人物の顔である請求項５に記載の撮像装置。
【請求項７】
前記特定被写体への合焦可能性を判断する判断手段、
をさらに備え、
前記表示制御手段は、前記合焦動作の実行前に、前記合焦可能性に応じて、前記特定被写体の位置表示の表示態様を変更させる請求項３に記載の撮像装置。
【請求項８】
ａ）撮像素子によって取得された撮影画像から特定被写体を検出する工程と、
ｂ）前記特定被写体の存在位置を示す位置表示を表示部に表示させる工程と、
ｃ）撮影領域の所定位置に設定された測距エリアから取得される位相差検出信号に基づいて合焦動作を実行させる工程と、
ｄ）前記特定被写体に関する位相差検出信号に基づいて前記合焦動作が実行されたか否かを判定する工程と、
ｅ）前記ｄ）工程での判定結果に応じて前記特定被写体の位置表示の表示態様を変更させる工程と、
を備える撮像装置の制御方法。
【発明の詳細な説明】
【技術分野】
【０００１】
本発明は、撮像装置における表示技術に関する。
【背景技術】
【０００２】
一眼レフレックスタイプの撮像装置(「一眼レフカメラ」とも称する)では、被写体の確認は一般に光学ファインダで行われるが、被写体を動画的態様でモニタに表示させるプレビュー表示機能を有するものではモニタにて被写体を確認することができる。
【０００３】
このようなプレビュー表示機能を有する撮像装置には、プレビュー表示の中から特定の被写体（特定被写体）を検出し、当該特定被写体の位置をモニタに表示させるものがある（例えば、特許文献１）。
【０００４】
また、一般に、一眼レフカメラは、撮影領域に予め設定されたＡＦエリアにおける被写体光を受光して被写体のピント情報を検出するＡＦモジュールを備えている。ＡＦモジュールを備える一眼レフカメラでは、位相差検出方式の自動合焦（ＡＦ）動作が実行される。
【０００５】
上記の各機能を有する撮像装置では、検出された特定被写体の位置およびピント情報を取得可能なＡＦエリアの位置をモニタに表示させることによって、特定被写体を測距対象に選んで撮影することが可能になる。
【０００６】
【特許文献１】特開２００３−１０７３３５号公報
【発明の開示】
【発明が解決しようとする課題】
【０００７】
しかしながら、特定被写体の位置およびＡＦエリアの位置をモニタに表示するだけでは、当該特定被写体に対して実際に合焦できたか否かの確認を容易に行うことができない。
【０００８】
そこで、本発明は、特定被写体に合焦できたか否かの確認を容易に行うことが可能な技術を提供することを目的とする。
【課題を解決するための手段】
【０００９】
本発明は、撮像装置であって、被写体像に関する撮影画像を取得する撮像素子と、前記撮影画像から特定被写体を検出する被写体検出手段と、撮影領域の所定位置に設定された測距エリアから取得される位相差検出信号に基づいて合焦動作を実行させる合焦制御手段と、前記特定被写体の存在位置を示す位置表示を表示部に表示させる表示制御手段と、前記特定被写体に関する位相差検出信号に基づいて前記合焦動作が実行されたか否かを判定する第１判定手段とを備え、前記表示制御手段は、前記第１判定手段の判定結果に応じて前記特定被写体の位置表示の表示態様を変更させる。
【発明の効果】
【００１０】
本発明によれば、検出された特定被写体に合焦できたか否かの確認を容易に行うことが可能になる。
【発明を実施するための最良の形態】
【００１１】
以下、本発明の実施形態について図面を参照して説明する。
【００１２】
＜１．第１実施形態＞
［１−１．構成］
図１および図２は、本発明の第１実施形態に係る撮像装置１Ａの外観構成を示す図である。ここで、図１は、撮像装置１Ａの正面外観図であり、図２は、撮像装置１Ａの背面外観図である。この撮像装置１Ａは、レンズ交換式一眼レフレックスタイプのデジタルカメラとして構成されている。
【００１３】
図１に示すように、撮像装置１Ａは、カメラ本体部（カメラボディ）２を備えている。このカメラ本体部２に対して、交換式の撮影レンズユニット（交換レンズ）３が着脱可能となっている。
【００１４】
撮影レンズユニット３は、主として、鏡胴３６、ならびに、鏡胴３６の内部に設けられるレンズ群３７（図３参照）および絞り（不図示）等によって構成される。レンズ群３７には、光軸方向に移動することによって焦点位置を変更するフォーカスレンズ等が含まれている。
【００１５】
カメラ本体部２は、撮影レンズユニット３が装着される円環状のマウント部Ｍｔを正面略中央に備え、撮影レンズユニット３を着脱するための着脱ボタン８９を円環状のマウント部Ｍｔ付近に備えている。
【００１６】
また、カメラ本体部２は、その正面左上部にモード設定ダイアル８２を備え、その正面右上部に制御値設定ダイアル８６を備えている。モード設定ダイアル８２を操作すると、カメラの各種モード（各種撮影モード（人物撮影モードおよび風景撮影モード等）、撮影した画像を再生する再生モード、および外部機器との間でデータ交信を行う通信モード等を含む）の設定動作（切替動作）を行うことができる。また、制御値設定ダイアル８６を操作することによれば、各種撮影モードにおける制御値を設定することが可能である。
【００１７】
また、カメラ本体部２は、正面左端部に撮影者が把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えば４本の単３形乾電池が収納されており、カード収納室には撮影画像の画像データを記録するためのメモリカード９０（図５参照）が着脱自在に収納可能となっている。
【００１８】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、当該本撮影画像の撮影動作（撮像素子（または「主撮像素子」とも称する）５（後述）を用いて被写体像に関する露光動作を行い、その露光動作で取得された画像信号に所定の画像処理を施す一連の動作）が行われる。
【００１９】
図２において、カメラ本体部２の背面の略中央には、モニタ１２が設けられている。モニタ１２は、例えばカラー液晶ディスプレイ（ＬＣＤ）として構成される。モニタ１２は、撮影条件等を設定するためのメニュー画面を表示したり、再生モードにおいてメモリカード９０に記録された撮影画像を再生表示したりすることができる。
【００２０】
カメラ本体部２の背面略中央上部には、ファインダ窓１０が設けられている。ファインダ窓１０には、撮影レンズユニット３からの被写体像が導かれ、撮影者は、ファインダ窓１０を覗くことによって、主撮像素子５によって取得される被写体像と等価な像を視認することができる。具体的には、撮影光学系に入射された被写体像は、ミラー機構６(図３参照)で上方に反射され、接眼レンズ６７を介して視認される。このように、撮影者は、ファインダ窓１０を覗くことによって構図決めを行うことが可能である。なお、レリーズボタン１１のＳ２状態の検出によって本撮影画像の撮影動作が開始されると、ミラー機構６は被写体像を形成する光の光路から待避する。これにより、撮影レンズユニット３からの光（被写体像を形成する光）が主撮像素子５に到達し、主撮像素子５によって被写体に係る撮影画像（画像データ）が取得される。
【００２１】
ファインダ窓１０の下部には、接眼検知センサ１３が設けられている。接眼検知センサ１３は、近接物体の有無を検知するセンサであり、撮影者によるファインダ使用の有無を検知する。
【００２２】
モニタ１２の左上部にはメインスイッチ８１が設けられている。メインスイッチ８１は、２点のスライドスイッチからなり、接点を左方の「ＯＦＦ」位置に設定すると、撮像装置１Ａの電源がオフになり、接点を右方の「ＯＮ」位置に設定すると、撮像装置１Ａの電源がオンになる。
【００２３】
モニタ１２の右側には方向選択キー８４と表示切替スイッチ９とが設けられている。方向選択キー８４は、円形の操作ボタンを有し、この操作ボタンにおける上下左右の４方向の押圧操作と、右上、左上、右下および左下の４方向の押圧操作とが、それぞれ検出可能となっている。なお、方向選択キー８４は、上記８方向の押圧操作とは別に、中央部のプッシュボタンの押圧操作も検出可能となっている。
【００２４】
表示切替スイッチ９は、３点のスライドスイッチからなる。表示切替スイッチ９の接点が上段の「光学」位置に設定されるとＯＶＦモードが選択され、光学ファインダ視野内に被写体像が表示される。これにより、撮影者は、ファインダ窓１０を介して光学ファインダ視野内の表示を視認することができ、ファインダ視野内の表示を視認した構図決め操作（「フレーミング」とも称する）を行うことが可能になる。
【００２５】
また、表示切替スイッチ９の接点が下段の「液晶」位置に設定されるとＥＶＦモード（後述）が選択され、モニタ１２において被写体像に係るライブビュー画像が動画的態様にて表示（「ライブビュー表示」または「プレビュー表示」とも称する）される。これにより、撮影者は、モニタ１２に表示されるライブビュー表示を視認することによって、フレーミングを行うことが可能になる。
【００２６】
また、表示切替スイッチ９の接点が中段の「自動」位置に設定されると、ファインダ窓１０への接眼の有無に応じて、光学ファインダ視野内の表示とライブビュー表示とが自動的に切り替えられる。これにより、撮影者は、光学ファインダ視野内の表示、或いはライブビュー表示のいずれかを視認することによって、フレーミングを行うことが可能となる。
【００２７】
モニタ１２の左側には、メニュー画面の設定、画像の削除などを行うための複数のボタンからなる設定ボタン群８３が設けられている。
【００２８】
次に、撮像装置１Ａの内部構成について説明する。図３および図４は、第１実施形態に係る撮像装置１Ａの断面図である。
【００２９】
図３に示すように、撮像装置１Ａの内部には、ファインダ部１０２（ファインダ光学系）、ミラー機構６、位相差ＡＦモジュール（以下、単に「ＡＦモジュール」とも称する）２０、シャッタ４、主撮像素子５および副撮像素子７などが備えられている。
【００３０】
主撮像素子（ここではＣＣＤセンサ（単にＣＣＤとも称する））５は、撮影レンズユニット３が備えるレンズ群３７の光軸Ｌ上において、光軸Ｌに対して垂直な平面内に配置される。主撮像素子５は、その撮像面で受光された被写体像を光電変換作用により電気的信号に変換して、本撮影画像に係る画像信号を生成する。
【００３１】
また、主撮像素子５の直前には、シャッタ４が配置されている。このシャッタ４は、上下方向に移動する幕体を備え、光軸Ｌに沿って主撮像素子５に導かれる被写体光の光路開口動作および光路遮断動作を行うメカニカルフォーカルプレーンシャッタである。
【００３２】
上記の光軸Ｌ上において、被写体光をファインダ部１０２へ向けて反射する位置には、ミラー機構６（反射板）が配置されている。撮影レンズユニット３を通過した被写体光は、ミラー機構６（後述の主ミラー６１）によって上方へ反射され、焦点板（ピントグラス）６３に結像される。
【００３３】
ファインダ部１０２は、ペンタミラー６５とハーフミラー６８と接眼レンズ６７と副撮像素子７とファインダ窓１０とを備えている。ペンタミラー６５は、反射によって被写体像の天地左右を入れ替えて正立像にする。ハーフミラー６８は、ペンタミラー６５と接眼レンズ６７との間に配置され、被写体光を分離（分岐）させる。分離された被写体光は、接眼レンズ６７と副撮像素子７とにそれぞれ導かれる。接眼レンズ６７は、分離された被写体光をファインダ窓１０の外側に導く。これにより、撮影者は、ファインダ窓１０を介して被写体像を視認することが可能になる。このように、ファインダ部１０２は、撮影待機時において被写界を確認するための光学ファインダ（ＯＶＦ）として機能する。
【００３４】
また、副撮像素子７は、分離された他方の被写体光を受光し、被写体像に係る撮影画像を順次に取得する。取得された撮影画像は、モニタ１２に動画的態様にて順次に表示（ライブビュー表示）される。このように、ファインダ窓１０から視認可能な被写体像は、副撮像素子７によって取得され、撮影者は、モニタ１２において被写体像に関するライブビュー画像を視認することが可能となる。
【００３５】
ミラー機構６は、主ミラー６１とサブミラー６２とから構成されており、主ミラー６１の背面側において、サブミラー６２が主ミラー６１の背面に向けて倒れるように回動可能に設けられている。主ミラー６１は、例えばハーフミラーとして構成され、被写体光の一部を透過させる。主ミラー６１を透過した被写体光の一部はサブミラー６２によって反射され、ＡＦモジュール２０に入射される。
【００３６】
上記のミラー機構６は、所謂クイックリターンミラーとして構成されており、レリーズボタン１１のＳ２状態が検出された露光時には上方に向けて跳ね上がり、焦点板６３の下方位置で停止する（図４参照）。これにより、撮影レンズユニット３からの被写体光がミラー機構６によって遮られることなく主撮像素子５上に届き、当該主撮像素子５が露光される。露光が終了すると、ミラー機構６は元の位置（図３に示す位置）に復帰する。
【００３７】
ＡＦモジュール２０は、被写体のピント情報を検出するラインセンサ等からなる所謂ＡＦセンサとして構成されている。具体的には、ＡＦモジュール２０は、撮影領域に設定された測距エリア（「ＡＦエリア」とも称する）における被写体からの光を当該測距エリア用の一対のラインセンサで受光する。そして、ＡＦモジュール２０は、一対のラインセンサからの出力を位相差検出信号として全体制御部１０１に出力する機能を有している。
【００３８】
［１−２．機能ブロック］
次に、撮像装置１Ａの機能の概要について説明する。図５は、第１実施形態に係る撮像装置１Ａの機能構成を示すブロック図である。図６は、構図決めの際のモニタ１２の表示画面を示す図である。
【００３９】
図５に示すように、撮像装置１Ａは、位相差ＡＦモジュール２０、操作部８０、全体制御部１０１，ミラー機構６，シャッタ４，主撮像素子５，Ａ／Ｄ変換回路５２，デジタル信号処理回路５０および画像メモリ５６等を備える。
【００４０】
操作部８０は、レリーズボタン１１（図１参照）を含む各種ボタンおよびスイッチ等を備えて構成される。操作部８０に対するユーザの入力操作に応答して、全体制御部１０１が各種動作を実現する。
【００４１】
主撮像素子５は、タイミング制御回路（不図示）から入力される駆動制御信号に応答して、受光面（撮像面）に結像された被写体像の露光（光電変換による電荷蓄積）を行い、当該被写体像に係る画像信号を生成する。
【００４２】
また、副撮像素子７は、基本的には主撮像素子５と同様の機能を有し、ファインダ光学系に導かれた被写体像の露光を行い、ライブビュー表示用の画像に関する画像信号を取得する。
【００４３】
主撮像素子５で取得された画像信号（アナログ信号）は、Ａ／Ｄ変換回路５２によってデジタル信号に変換される。デジタル信号に変換された画像信号は、デジタル信号処理回路５０に入力される。
【００４４】
デジタル信号処理回路５０は、Ａ／Ｄ変換回路５２から入力される画像信号に対してデジタル信号処理を施す。具体的には、黒レベル補正処理、ホワイトバランス（ＷＢ）処理、γ補正処理等の信号処理を行う。当該信号処理後の画像信号（画像データ）は、画像メモリ５６に格納される。
【００４５】
画像メモリ５６は、生成された画像データを一時的に記憶するための、高速アクセス可能なメモリであり、複数フレーム分の画像データを記憶可能な容量を有する。
【００４６】
本撮影時には、画像メモリ５６に一時記憶される画像データは、全体制御部１０１において適宜画像処理（圧縮処理等）が施された後、メモリカード９０に記憶される。
【００４７】
また、副撮像素子７によって取得された画像データは、Ａ／Ｄ変換回路５２およびデジタル信号処理回路５０において所定の処理が実行され画像メモリ５６に一旦記憶された後、モニタ１２に表示される。
【００４８】
全体制御部１０１は、マイクロコンピュータとして構成され、主にＣＰＵ、ＲＡＭおよびＲＯＭ等を備える。全体制御部１０１は、ＲＯＭ内に格納されるプログラムを読み出し、当該プログラムをＣＰＵで実行することによって、各種機能を実現する。
【００４９】
全体制御部１０１は、上述のプログラムの実行によって、位相差ＡＦ制御部１２１、駆動制御部１２２、被写体検出部１２３、表示制御部１２４およびミラー制御部１２５等を機能的に実現する。
【００５０】
位相差ＡＦ制御部１２１は、位相差方式による自動合焦（ＡＦ）動作（位相差ＡＦ）を行う。具体的には、位相差ＡＦ制御部１２１は、ＡＦモジュール２０から出力される位相差検出信号に基づいて、合焦時の撮影レンズ（より詳細にはフォーカスレンズ）の位置（レンズ合焦位置）を特定するレンズ合焦位置特定動作を行う。
【００５１】
また、位相差ＡＦ制御部１２１では、重なり判定部２１１と測距可否判断部２１２と合焦判定部２１３とが機能的にさらに実現される。
【００５２】
重なり判定部２１１は、後述の被写体検出部１２３により撮影画像において検出された特定被写体（ここでは、顔領域）と後述の対応ＡＦエリアＥｆとが重なっているか否かを判定する。
【００５３】
測距可否判断部２１２では、重なり判定部２１１によってＡＦエリアと特定被写体とが重なると判定された場合に、特定被写体と重なるＡＦエリアから取得される位相差検出信号を用いて合焦動作を実行可能か否かが判断される。
【００５４】
合焦判定部２１３は、合焦動作の実行後に、特定被写体に関する位相差検出信号に基づいて合焦動作が実行されたか否かを判定する。
【００５５】
また、位相差ＡＦ制御部１２１は、駆動制御部１２２と協働して、当該レンズ合焦位置に撮影レンズ（フォーカスレンズ）を移動するレンズ駆動動作をも実行する。
【００５６】
駆動制御部１２２は、撮影レンズの駆動を制御する機能を有し、位相差ＡＦ制御部１２１と協働して、実際に撮影レンズを駆動させる。
【００５７】
具体的には、位相差ＡＦ制御部１２１は、駆動制御部１２２を介して撮影レンズユニット３のレンズ側制御部３１に制御信号を伝達し、レンズ駆動部３８を駆動させ、撮影レンズユニット３のレンズ群３７に含まれるフォーカスレンズをその光軸方向において移動させる。また、フォーカスレンズの位置は、撮影レンズユニット３のレンズ位置検出部３９によって検出され、フォーカスレンズの位置を示すデータがレンズ側制御部３１から本体側の全体制御部１０１に送られる。
【００５８】
被写体検出部１２３は、副撮像素子７によって取得された撮影画像（補助画像）において、検出対象として設定されている特定被写体を特定する。ここでは、人物の顔（「顔領域」とも称する）が検出対象に設定されているものとし、顔領域を補助画像から検出するものとする。
【００５９】
顔領域の検出手法としては、例えば、撮影画像における各画素の画素値に基づいて画像の肌色部分を抽出し、この肌色部分の面積が予め設定された閾値以上であった場合に、その肌色部分を人物の顔として検出する手法を採用してもよい。或いは、周知のパターン認識技術を用いて、目や口などの顔の特定部分を抽出することで、人物の顔を検出する手法を採用してもよい。
【００６０】
表示制御部１２４は、モニタ１２などの表示部における表示内容を制御する。具体的には、表示制御部１２４は、副撮像素子７によって連続的に取得される複数の画像に基づいて、モニタ１２にライブビュー画像を表示させる。
【００６１】
また、表示制御部１２４は、被写体検出部１２３によって特定された特定被写体（ここでは、人物の顔）の存在位置を示す表示をライブビュー画像に合成してモニタ１２に表示させる機能を有している。検出された顔の存在位置は、例えば、検出された顔領域を囲む枠（以下では「顔枠」または「顔表示枠」とも称する）ＷＫによって表すことができ、図６では、被写体人物ＨＭの顔を囲む顔枠ＷＫ１が表示されている。
【００６２】
また、表示制御部１２４は、モニタ１２に表示される補助画像上において、撮影領域に設定されたＡＦエリアに関する表示をもライブビュー画像に合成してモニタ１２に表示させる機能を有している。ＡＦエリアに関する表示は、例えば、線画によって表すことができ、図６では、９つの線画ＧＬが表示されている。
【００６３】
なお、ＡＦエリアに関する表示は、撮影領域に設定されたＡＦエリアを補助画像（モニタ１２の表示画面）上で表した場合のＡＦエリアの位置を示しており、対応ＡＦエリア（または「換算ＡＦエリア」）Ｅｆとも称される。
【００６４】
ミラー制御部１２５は、ミラー機構６が光路から退避した状態（ミラーアップ状態）とミラー機構６が光路を遮断した状態（ミラーダウン状態）との状態切替を制御する。ミラー制御部１２５は、ミラー切り替え用モータ（不図示）を駆動制御することによって、ミラーアップ状態とミラーダウン状態とを切り替える。
【００６５】
［表示制御の概要］
ライブビュー表示を用いたフレーミングの際には、対応ＡＦエリアＥｆと顔枠ＷＫとがモニタ１２に表示されるが、対応ＡＦエリアＥｆおよび顔枠ＷＫの表示態様は、それぞれ自動合焦動作の実行前と実行後とで変更される。図７は、対応ＡＦエリアＥｆおよび顔枠ＷＫに関する表示態様の遷移図である。
【００６６】
具体的には、図７に示されるように、ＡＦ動作の実行前では、対応ＡＦエリアＥｆは常時表示される。また、顔枠ＷＫの表示態様は、当該顔枠ＷＫによって示される顔領域に対して合焦（測距）可能か否かに応じて変更される。本実施形態では、特定被写体に対して合焦可能であったときは、当該特定被写体を示す顔枠ＷＫが橙色で表示され、合焦不可能であったときは、顔枠ＷＫが白色で表示される場合について例示する。
【００６７】
一方、ＡＦ動作の実行後では、対応ＡＦエリアＥｆはモニタ１２から消去される。また、顔枠ＷＫの表示態様は、当該顔枠ＷＫによって示される顔領域を測距対象としてＡＦ動作が実行されたか否かに応じて変更される。本実施形態では、特定被写体に対してＡＦ動作が実行された場合は、当該特定被写体を示す顔枠ＷＫが緑色で表示され、ＡＦ動作が実行されていない場合は、顔枠ＷＫが白色で表示されるものとする。
【００６８】
以下では、ＡＦ動作前およびＡＦ動作後の表示制御についてそれぞれ詳述する。
【００６９】
まず、ＡＦ動作前の表示制御動作について説明する。図８は、ＡＦ動作前の表示制御動作のフローチャートである。図９は、構図決めの際のモニタ１２の表示画面を示す図である。
【００７０】
図８に示されるように、表示切替スイッチ９の操作等によってＥＶＦモードが選択されると、ステップＳＰ１１に移行される。
【００７１】
ステップＳＰ１１では、表示制御部１２４によってモニタ１２にライブビュー画像が表示されるとともに、全ての対応ＡＦエリアＥｆが重畳表示される（図６参照）。
【００７２】
ステップＳＰ１２では、被写体検出部１２３によって特定被写体が検出されたか否かが判定される。特定被写体が検出された場合は、ステップＳＰ１３に移行され、特定被写体が検出されなかった場合は、ＡＦ動作前の表示制御動作が終了される。
【００７３】
ステップＳＰ１３では、位相差ＡＦ制御部１２１の重なり判定部２１１によって、特定被写体と対応ＡＦエリアＥｆとが重なっているか否かが判定される。
【００７４】
重複判定の手法としては、例えば、補助画像上の対応ＡＦエリアＥｆに含まれる各画素の座標値と、検出された特定被写体に含まれる各画素の座標値とをそれぞれ比較し、対応ＡＦエリアＥｆの少なくとも一部の画素が特定被写体に含まれているか否かを判定する手法を採用することができる。
【００７５】
なお、補助画像上における対応ＡＦエリアＥｆに含まれる各画素の座標値は、撮像装置１Ａの製造時点において取得され、撮像装置１ＡのＲＯＭ等に予め記憶されている。
【００７６】
このようにステップＳＰ１３では、補助画像において対応ＡＦエリアＥｆを構成する画素の少なくとも一部が特定被写体に含まれる場合は、対応ＡＦエリアＥｆと特定被写体とは重複していると判定される。
【００７７】
ステップＳＰ１３で特定被写体と対応ＡＦエリアＥｆとが重なっていないと判定された場合は、ステップＳＰ１６に移行され、特定被写体に対する自動合焦は不可能であるとして顔枠ＷＫが白色で表示される。
【００７８】
一方、ステップＳＰ１３で特定被写体と対応ＡＦエリアＥｆとが重なっていると判定された場合は、ステップＳＰ１４に移行される。
【００７９】
ステップＳＰ１４では、位相差ＡＦ制御部１２１の測距可否判断部２１２によって、特定被写体と重なるＡＦエリア（「重複ＡＦエリア」とも称する）から取得される位相差検出信号を用いて合焦動作を実行可能か否かが判断される。
【００８０】
合焦動作の実行可否は、上述のとおり重複ＡＦエリアから取得される位相差検出信号、すなわちラインセンサの出力に基づいて判断される。より詳細には、重複ＡＦエリアに関する一対のラインセンサの出力にばらつきがなく、重複ＡＦエリアのコントラストが低い場合は、当該重複ＡＦエリアに関する位相差検出信号は有効ではなく、合焦動作が実行できないと判断される。
【００８１】
ステップＳＰ１４で合焦動作が実行できないと判定された場合は、ステップＳＰ１６に移行され、特定被写体に対する自動合焦は不可能であるとして当該特定被写体を示す顔枠ＷＫが白色で表示される。
【００８２】
一方、ステップＳＰ１４で合焦動作が実行できると判定された場合は、ステップＳＰ１５に移行され、特定被写体に対する自動合焦が可能であるとして当該特定被写体を示す顔枠ＷＫが橙色で表示される。
【００８３】
このように、ステップＳＰ１３およびステップＳＰ１４では、位相差ＡＦ制御部１２１によって、特定被写体に対して合焦可能か否かが判定され、当該判定結果に応じて顔枠ＷＫの表示態様が変更される。
【００８４】
例えば、図９に示されるように、特定被写体として２つの顔領域ＦＲ２，ＦＲ３が検出され、顔領域ＦＲ２は対応ＡＦエリアＥｆ２と重複し、顔領域ＦＲ３にはいずれの対応ＡＦエリアＥｆも重複しない場合を想定する。この場合、顔領域ＦＲ２は重複ＡＦエリアを有しているため、顔領域ＦＲ２に対しては自動合焦可能であるとして、顔枠ＷＫ２は橙色で表示される。また、顔領域ＦＲ３は重複ＡＦエリアを有していないため、顔領域ＦＲ３に対しては自動合焦不能であるとして、顔枠ＷＫ３は白色で表示される。
【００８５】
以上のようなＡＦ動作前の表示制御動作は、例えば、所定時間ごとに実行され、構図の変化に応じて対応ＡＦエリアＥｆおよび顔枠ＷＫの表示が変更されることになる。
【００８６】
次に、ＡＦ動作後の表示制御動作について説明する。図１０は、ＡＦ動作後の表示制御動作のフローチャートである。図１１は、ＡＦ動作後のモニタ１２の表示画面を示す図である。
【００８７】
図１０に示されるように、レリーズボタン１１の半押し状態が検出されると、ＡＦ動作が実行される。
【００８８】
そして、ＡＦ動作終了後には、ステップＳＰ２１において対応ＡＦエリアＥｆがモニタ１２から消去される（図１１参照）。
【００８９】
ステップＳＰ２２では、被写体検出部１２３によって特定被写体が検出されたか否かが判定される。特定被写体が検出された場合は、ステップＳＰ２３に移行され、特定被写体が検出されなかった場合は、ＡＦ動作後の表示制御動作が終了される。
【００９０】
ステップＳＰ２３では、合焦判定部２１３によって、特定被写体に対して合焦されたか否かが判定される。
【００９１】
特定被写体に合焦されたか否かの判定は、測距可否判断部２１２により合焦動作が実行可能と判断された重複ＡＦエリアから取得された位相差検出信号を用いてＡＦ動作が実行されたか否かに基づいて行われる。
【００９２】
ステップＳＰ２３において、特定被写体に対して合焦されたと判定された場合は、ステップＳＰ２４に移行され、当該特定被写体を示す顔枠ＷＫの表示色が白色から緑色に変更される。一方、ステップＳＰ２３で特定被写体に対して合焦されなかったと判定された場合は、ステップＳＰ２５に移行され、顔枠ＷＫの表示色は変更されず、白色で表示された状態が継続される。
【００９３】
このように、ＡＦ動作後の表示制御動作では、モニタ１２に表示されていた対応ＡＦエリアＥｆが消去される。これによれば、ユーザは、人物の顔にＡＦエリアを配置して予めレンズ合焦位置を決定し、その後、構図を振る置きピンの手法を用いて撮影する場合に、モニタ１２上のＡＦエリアに関する表示が撮影の妨げとなることを防止できる。
【００９４】
また、合焦判定部２１３の判定結果に応じて、すなわち検出された特定被写体に合焦されたと判定された場合は、顔枠ＷＫの表示態様が変更されるので、ユーザは、特定被写体に対して合焦されたことを容易に確認することができる。また、顔枠ＷＫの表示態様が変更されることによれば、ＡＦエリアに関する表示が全て消去されたとしても、ユーザは、合焦された特定被写体を把握することができる。
【００９５】
＜２．第２実施形態＞
次に、本発明の第２実施形態について説明する。上記第１実施形態に係る撮像装置１Ａは、検出された特定被写体に対して合焦可能か否かに応じて顔枠ＷＫの表示態様を変更させていたが、第２実施形態に係る撮像装置１Ｂは、特定被写体に合焦できる可能性の大きさに応じて顔枠ＷＫの表示態様を変更させる。図１２は、ＡＦ動作実行前における顔枠ＷＫの表示態様の遷移図である。図１３は、構図決めの際のモニタ１２の表示画面を示す図である。
【００９６】
第２実施形態に係る撮像装置１Ｂは、撮像装置１Ａとほぼ同様の構造および機能を有している（図１〜図５参照）が、重なり判定部２１１における機能が、撮像装置１Ａと相違する。以下では、第１実施形態と相違する点を中心に詳述する。
【００９７】
上述のように、撮像装置１Ｂでは、ＡＦ動作の実行前の顔枠ＷＫの表示態様が、当該顔枠ＷＫによって示される顔領域に合焦（測距）できる可能性（合焦可能性）の大きさに応じて変更される。具体的には、図１２に示されるように、特定被写体への合焦可能性が大きい場合は、当該特定被写体を示す顔枠ＷＫは赤色で表示され、合焦可能性が小さい場合は、顔枠ＷＫは橙色で表示される。そして、合焦可能性がない場合は、顔枠ＷＫは白色で表示される。
【００９８】
特定被写体への合焦可能性は、対応ＡＦエリアＥｆと特定被写体との重複度合いに応じて判断される。
【００９９】
具体的には、撮像装置１Ｂの重なり判定部２１１は、被写体検出部１２３により撮影画像において検出された特定被写体と対応ＡＦエリアＥｆとの重複度合いを判定する。
【０１００】
重複度合いの判定は、対応ＡＦエリアＥｆを構成する画素（「エリア構成画素」とも称する）が特定被写体にどの程度含まれているかに基づいて行われる。
【０１０１】
より詳細には、エリア構成画素のうち所定数以上の画素が特定被写体に含まれていた場合は、「特定被写体と対応ＡＦエリアＥｆとの重複度は大きい」と判定される。また、所定数未満ではあるが、エリア構成画素の少なくとも一部が特定被写体に含まれていた場合は、「特定被写体と対応ＡＦエリアＥｆとの重複度は小さい」と判定される。また、特定被写体にエリア構成画素が含まれていない場合は、「特定被写体と対応ＡＦエリアＥｆとは重複しない（非重複）」と判定される。
【０１０２】
そして、位相差ＡＦ制御部１２１は、特定被写体と対応ＡＦエリアＥｆとの重複度は大きいと判定された場合は、特定被写体に関する位相差検出信号を取得できる確率が高いことから、特定被写体への合焦可能性は大きいと判断する。
【０１０３】
また、位相差ＡＦ制御部１２１は、特定被写体と対応ＡＦエリアＥｆとの重複度は小さいと判定された場合は、特定被写体に関する位相差検出信号を取得できる確率が低いことから、特定被写体への合焦可能性は小さいと判断する。
【０１０４】
また、位相差ＡＦ制御部１２１は、特定被写体と対応ＡＦエリアＥｆとは重複しないと判定された場合は、特定被写体に関する位相差検出信号を取得できないことから、特定被写体への合焦可能性はないと判断する。
【０１０５】
このように、位相差ＡＦ制御部１２１は、特定被写体と対応ＡＦエリアＥｆとの位置関係に基づいて特定被写体への合焦可能性を判断する合焦可能性判断部として機能する。
【０１０６】
表示制御部１２４は、位相差ＡＦ制御部１２１における合焦可能性の判断結果を受けて、顔枠ＷＫの表示態様を変更させる。
【０１０７】
例えば、エリア構成画素の半数以上が特定被写体に含まれるときに重複度が大きいと判定する場合は、図１３の顔領域ＦＲ４には対応ＡＦエリアＥｆ４のエリア構成画素が半数以上含まれているので、顔枠ＷＫ４は赤色で表示される。また、顔領域ＦＲ５には、対応ＡＦエリアＥｆ５のエリア構成画素のうち、半数以下の一部のエリア構成画素が含まれているので、顔枠ＷＫ５は橙色で表示される。
【０１０８】
ここで、撮像装置１Ｂに係るＡＦ動作前の表示制御動作について説明する。図１４は、ＡＦ動作前の表示制御動作のフローチャートである。
【０１０９】
図１４に示されるように、表示切替スイッチ９の操作等によってＥＶＦモードが選択されると、ステップＳＰ３１に移行される。
【０１１０】
ステップＳＰ３１では、表示制御部１２４によってモニタ１２にライブビュー画像が表示されるとともに、全ての対応ＡＦエリアＥｆが重畳表示される。
【０１１１】
ステップＳＰ３２では、被写体検出部１２３によって特定被写体が検出されたか否かが判定される。特定被写体が検出された場合は、ステップＳＰ３３に移行され、特定被写体が検出されなかった場合は、ＡＦ動作前の表示制御動作が終了される。
【０１１２】
ステップＳＰ３３では、位相差ＡＦ制御部１２１によって、検出された特定被写体への合焦可能性が取得される。
【０１１３】
そして、特定被写体への合焦可能性が大きい場合は、ステップＳＰ３４を経てステップＳＰ３５に移行される。
【０１１４】
ステップＳＰ３５では、表示制御部１２４によって特定被写体を示す顔枠ＷＫが赤色で表示される。
【０１１５】
また、特定被写体への合焦可能性が小さい場合は、ステップＳＰ３４およびステップＳＰ３６を経てステップＳＰ３７に移行される。
【０１１６】
ステップＳＰ３７では、表示制御部１２４によって特定被写体を示す顔枠ＷＫが橙色で表示される。
【０１１７】
また、特定被写体への合焦可能性がない場合は、ステップＳＰ３４およびステップＳＰ３６を経てステップＳＰ３８に移行される。
【０１１８】
ステップＳＰ３８では、表示制御部１２４によって特定被写体を示す顔枠ＷＫが白色で表示される。
【０１１９】
以上のように、撮像装置１Ｂでは、検出された特定被写体への合焦可能性の大きさに応じて、特定被写体を示す顔枠ＷＫの表示態様が変更される。
【０１２０】
＜３．変形例＞
以上、この発明の実施の形態について説明したが、この発明は、上記に説明した内容に限定されるものではない。
【０１２１】
例えば、上記各実施形態では、特定被写体を「人物の顔」に設定していたがこれに限定されず、人体中の他の特定部位（例えば胴体部分）を特定被写体としてもよい。
【０１２２】
また、人物の顔に限らず動物（例えば、犬または猫）の顔を特定被写体として設定してもよい。
【０１２３】
また、上記各実施形態では、顔枠ＷＫの色を変えて表示態様を変更させていたが、これに限定されず、顔枠ＷＫの形状を変えて表示態様を変更させてもよい。
【０１２４】
また、上記第２実施形態では、所定数未満ではあるが、エリア構成画素の少なくとも一部が特定被写体に含まれていた場合は、「特定被写体と対応ＡＦエリアＥｆとの重複度は小さい」と判定していたがこれに限定されない。
【０１２５】
具体的には、上記所定数を第１所定数とし、当該第１所定数よりも少ない第２の所定数を新たに設定して、これら２つの所定数を用いて重複度の判定を行ってもよい。すなわち、第１の所定数よりも少なく第２の所定数よりも多いエリア構成画素が特定被写体に含まれていた場合は、「特定被写体と対応ＡＦエリアＥｆとの重複度は小さい」と判定してもよい。
【図面の簡単な説明】
【０１２６】
【図１】本発明の第１実施形態に係る撮像装置の外観構成を示す図である。
【図２】本発明の第１実施形態に係る撮像装置の外観構成を示す図である。
【図３】第１実施形態に係る撮像装置の縦断面図である。
【図４】第１実施形態に係る撮像装置の縦断面図である。
【図５】第１実施形態に係る撮像装置の機能構成を示すブロック図である。
【図６】構図決めの際のモニタの表示画面を示す図である。
【図７】対応ＡＦエリアおよび顔枠に関する表示態様の遷移図である。
【図８】ＡＦ動作前の表示制御動作のフローチャートである。
【図９】構図決めの際のモニタの表示画面を示す図である。
【図１０】ＡＦ動作後の表示制御動作のフローチャートである。
【図１１】ＡＦ動作後のモニタの表示画面を示す図である。
【図１２】第２実施形態に係るＡＦ動作前における顔枠の表示態様の遷移図である。
【図１３】構図決めの際のモニタの表示画面を示す図である。
【図１４】第２実施形態に係るＡＦ動作前の表示制御動作のフローチャートである。
【符号の説明】
【０１２７】
１Ａ，１Ｂ  撮像装置
７  副撮像素子
１１  レリーズボタン
１２  モニタ
２０  位相差ＡＦモジュール
１０１  全体制御部
１２１  位相差ＡＦ制御部
１２３  被写体検出部
１２４  表示制御部
２１１  重なり判定部
２１２  測距可否判断部
２１３  合焦判定部
Ｅｆ，Ｅｆ２，Ｅｆ４，Ｅｆ５  対応ＡＦエリア
ＷＫ，ＷＫ１，ＷＫ２，ＷＫ３，ＷＫ４，ＷＫ５  顔枠
ＧＬ  線画
ＨＭ  被写体人物
【図１】
2010103615.tif 000003
【図２】
2010103615.tif 000004
【図３】
2010103615.tif 000005
【図４】
2010103615.tif 000006
【図５】
2010103615.tif 000007
【図６】
2010103615.tif 000008
【図７】
2010103615.tif 000009
【図８】
2010103615.tif 000010
【図９】
2010103615.tif 000011
【図１０】
2010103615.tif 000012
【図１１】
2010103615.tif 000013
【図１２】
2010103615.tif 000014
【図１３】
2010103615.tif 000015
【図１４】
2010103615.tif 000016